(57)【要約】【課題】いったんペットの誕生日情報を入力すれば、その後は、自動的に実年齢及び人換算年齢を表示可能なペットの換算年齢表示用時計を提供する。【解決手段】  ユーザがペットの誕生日情報を入力するための入力手段１０と、入力された誕生日情報を記憶するとともに、ペットの換算年齢を計算するための計算式をあらかじめ記憶している記憶手段１２と、現在日情報を与えるクロック手段１４と、記憶手段にあらかじめ記憶されている計算式を読み出し、入力手段により入力されたペットの誕生日情報と、現在日情報とに基づいて、当該ペットの実年齢と、人換算年齢の双方を演算する計算・制御手段１６と、計算手段にて計算して得られた実年齢と人換算年齢を目視可能に表示する表示手段１８とを有するペットの換算年齢表示用時計が提供される。【選択図】図１
0003139285.tif 000002
【実用新案登録請求の範囲】
【請求項１】
ユーザがペットの誕生日情報を入力するための入力手段と、
前記入力された誕生日情報を記憶するとともに、ペットの換算年齢を計算するための計算式をあらかじめ記憶している記憶手段と、
現在日情報を与えるクロック手段と、
前記記憶手段にあらかじめ記憶されている前記計算式を読み出し、前記入力手段により入力されたペットの誕生日情報と、前記現在日情報とに基づいて、当該ペットの実年齢と、人換算年齢の双方を演算する計算・制御手段と、
前記計算手段にて計算して得られた前記実年齢と人換算年齢を目視可能に表示する表示手段とを、
有するペットの換算年齢表示用時計。
【請求項２】
前記計算式として、小型中型犬・猫用の第１の計算式と、大型犬用の第２の計算式が前記記憶手段に記憶され、前記第１の計算式と前記第２の計算式のいずれを用いるかをユーザが選択するための切替手段がさらに設けられていることを特徴とする請求項１に記載のペットの換算年齢表示用時計。
【請求項３】
前記表示手段が、前記前記実年齢と人換算年齢の表示の他、前記誕生日及び現在日情報をも表示するよう構成されていることを特徴とする請求項１又は２に記載のペットの換算年齢表示用時計。
【請求項４】
前記表示手段が、さらに現在時刻と曜日をも表示するよう構成されていることを特徴とする請求項３に記載のペットの換算年齢表示用時計。
【請求項５】
周囲の気温を測定して気温を示す信号を生成する温度センサと、周囲の湿度を測定して湿度を示す信号を生成する湿度センサの少なくとも一方をさらに備え、前記測定した気温又は湿度を前記表示手段が表示するよう構成されていることを特徴とする請求項１から４のいずれ１つに記載のペットの換算年齢表示用時計。
【考案の詳細な説明】
【技術分野】
【０００１】
本考案はペットの年齢表示用時計に関し、特に実年齢のみ表示可能な従来の時計の改良に関する。
【背景技術】
【０００２】
犬や猫などのペットを飼う家庭が多くなった現在、ペットの年齢を一々記憶に頼らず把握したいと思うユーザがいる。また、ペットは人と較べると成長速度が速いため、人間との比較では、ペットの実年齢はわかりづらいものとなっている。特に、生まれてからしばらくは早期に成長し、その後一定割合で成長する犬や猫などのペットの場合、実年齢と老化の関係が単なる比例関係にあるわけではないので、分かりにくく、換算式を用いて計算したり、換算早見表などに頼らざるをえない（下記の非特許文献１参照）。
【非特許文献１】小動物の臨床栄養学III  （３−３３）第３章第３３頁（  Lewis, Morris, Hand共著）日本ヒルズ・コルゲート(株)内  マーク・モーリス研究所発行  平成１年１０月３１日（第３版第１冊発行）
【考案の開示】
【考案が解決しようとする課題】
【０００３】
しかしながら、非特許文献１に記載の技術に代表されるように、計算式や換算表を使用して換算年齢を知ることはできるが、一々計算したり、換算表を見なくてはならないので面倒であるという問題があった。
【０００４】
本考案は上記従来技術の問題点に鑑み、いったんペットの誕生日情報を入力すれば、その後は、自動的に実年齢及び人換算年齢を表示可能なペットの換算年齢表示用時計を提供することを目的とする。
【課題を解決するための手段】
【０００５】
本考案は、上記目的を達成するために、誕生日情報と現在日情報を用いて所定の計算式により実年齢及び人換算年齢の双方を得、これらを表示部に常時表示するようにしたものである。
【０００６】
すなわち本考案によれば、ユーザがペットの誕生日情報を入力するための入力手段と、前記入力された誕生日情報を記憶するとともに、ペットの換算年齢を計算するための計算式をあらかじめ記憶している記憶手段と、
現在日情報を与えるクロック手段と、
前記記憶手段にあらかじめ記憶されている前記計算式を読み出し、前記入力手段により入力されたペットの誕生日情報と、前記現在日情報とに基づいて、当該ペットの実年齢と、人換算年齢の双方を演算する計算・制御手段と、
前記計算手段にて計算して得られた前記実年齢と人換算年齢を目視可能に表示する表示手段とを、
有するペットの換算年齢表示用時計が提供される。
【０００７】
なお、計算式として、小型中型犬・猫用の第１の計算式と、大型犬用の第２の計算式が記憶手段に記憶され、第１の計算式と前記第２の計算式のいずれを用いるかをユーザが選択するための切替手段がさらに設けられていることは、本考案の好ましい態様である。
【考案の効果】
【０００８】
本考案によれば、実年齢と人換算年齢の双方が常時表示されるので、ユーザは一々換算表など頼ることなく、瞬時にこれらの年齢情報を得ることができる。また、小型中型犬・猫用の計算式と、大型犬用の計算式を使い分ける本考案の態様によれば、同一の時計で、小型中型犬と猫あるいは大型犬に対応した計算ができるので便利である。
【考案を実施するための最良の形態】
【０００９】
以下、図面を参照して本考案の実施の形態について説明する。図１は本考案に係るペットの換算年齢表示用時計の好ましい実施の形態の構成を示すブロック図である。また、図２は、図１に示す実施の形態の外観を示す平面図である。図１において、入力手段１０は、図２に示す各種ボタン類により構成することができる。また、表示手段１８は、図２に示す日付・時刻表示部１８−１、誕生日表示部１８−２、実年齢表示部１８−３、人換算年齢表示部１８−４などにより構成することができる。図１に示されるように、入力手段１０は、記憶手段１２とクロック手段１４に接続されていて、入力手段１０によりペットの誕生日が入力されると、記憶手段１２に記憶される。また記憶手段１２には、あらかじめ所定の計算式が記憶されている。クロック手段１４は、現在日情報を記憶するものであり、ここで「現在日情報」は現在日、すなわち年月日を記憶している。この実施の形態では併せて、時刻情報も記憶されているので、「現在日情報」は、現在が何年何月何日の何時何分かを示す情報となる。また、曜日情報と午前午後を識別する情報も含まれる。入力手段１０は、クロック手段１４のこれらの記憶情報を訂正するためにも用いることができる。上記現在日情報や誕生日情報の入力などは、従来の電子時計やデジタルカメラなどで一般的に用いられているものであり、当業者にとって周知であるので、さらなる詳述は省略する。
【００１０】
計算・制御手段１６は、記憶手段１２とクロック手段１４を制御して、必要な情報を読み出す。すなわち記憶手段１２からは、誕生日情報と計算式が読み出され、クロック手段１４からは、現在日情報が読み出される。現在日情報は、表示手段１８に送られ、図２に示すように、現在の年月日、時刻、曜日などが表示される。また、記憶手段１２からは、誕生日情報が読み出され表示手段１８に送られ、図２に示すように、誕生日が表示される。記憶手段１２からはさらに計算式が読み出され、これを用いて、誕生日と現在日情報から実年齢と人換算年齢がそれぞれ計算され、計算された実年齢と人換算年齢がそれぞれ表示手段１８にて表示される。
【００１１】
本考案のペットの換算年齢表示用時計は、小型中型犬・猫専用あるいは、大型犬専用とすることもできるし、両者兼用とすることもできる。兼用の場合は、図２示すように、切替ボタンを設ける。なお、小型中型犬・猫用と、大型犬用とでは、前述の計算式が異なるので、兼用の場合は、いずれの計算式を用いるかを選択する必要がある。
【００１２】
これらの計算式について説明すると、表１に示すように小・中型犬・猫の場合は、実年齢が生後から１年までは、実年齢×１８が人換算年齢となり、実年齢が１年超から２年未満までは、（実年齢−１）×６＋１８が人換算年齢となり、実年齢が２年以降は、（実年齢−２）×４＋２４が人換算年齢となる。一方、大型犬の場合は、実年齢が生後から１年未満までは、実年齢×１２が人換算年齢となり、実年齢が１年以降は、（実年齢−１）×７＋１２が人換算年齢となる。したがって、小・中型犬・猫の場合に実年齢から人換算年齢を算出するための第１の計算式と、大型犬の場合に実年齢から人換算年齢を算出するための第２の計算式とをあらかじめ記憶手段１２に記憶しておき、ユーザが入力手段１０中の切替ボタンを操作することにより、いずれかの計算式を選択することができる。図３は、上記２つの式のアルゴリズムを模式的示す図であり、これらの式をコンピュータのＣＰＵ（中央演算処理装置）に演算させる場合の具体例がそれぞれ示されている。
【００１３】
【表１】
0003139285.tif 000003
【００１４】
なお、本考案の実施の形態は犬や猫の場合を例にとり説明したが、他の動物の場合も、人換算年齢がわかっていれば、計算式を適宜変更して応用できることは言うまでもない。また、図２に示すように、表示手段１８に時間情報以外の情報として、周囲の温度や湿度などの気象情報を表示することもできる。もちろん、そのためには、温度センサや湿度センサを備え、測定信号を表示手段１８に送る構成とする必要がある。さらに通常の電子時計のように、アラーム機能を付加したり、ストップウオッチ機能を付加することも適宜可能である。また、誕生日が近づくと何日後に誕生日を迎えるかを表示したり、あるいは音声で報知するよう構成することもできる。
【産業上の利用可能性】
【００１５】
以上説明したように、本考案のペットの換算年齢表示用時計は、実年齢と人換算年齢の双方を常時表示するので、使い勝手がよく、ユーザは直ちに自分のペットの実年齢と人換算年齢を知ることができることとなる。よって、本考案は、ペットの換算年齢表示用時計に関する産業において有用である。
【図面の簡単な説明】
【００１６】
【図１】本考案に係るペットの換算年齢表示用時計の好ましい実施の形態のブロック図である。
【図２】図１の実施の形態の外観を示す平面図である。
【図３】図１の実施の形態で用いられる２種類の計算式の内容を示す模式図である。
【符号の説明】
【００１７】
１０  入力手段
１２  記憶手段
１４  クロック手段
１６  計算・制御手段
１８  表示手段
２０  ペットの換算年齢表示用時計
【図１】
0003139285.tif 000004
【図２】
0003139285.tif 000005
【図３】
0003139285.tif 000006